(57)【特許請求の範囲】
【請求項１】
建築物の躯体に直接或いは間接的に取り付けられる支持材と隣接する前記支持材間に配設される天井材からなり、
前記支持材は、縦片状の基部と、該基部の両側に横片状に延在する底面部と、該底面部から上方へ起立する起立部とを有し、前記した基部、底面部、起立部によって上方が開放する溝部を形成し、
前記天井材は、化粧部と、該化粧部の側方に配されて、前記支持材の起立部に係止する、下方が開放する凸状の係止部とを有し、
前記係止部の端縁を前記溝部内に位置させると共に、前記起立部に前記係止部を係止した係止状態における係止部を、前記支持材の内側から外側へ押圧するか、上方から下方へ押圧する係止手段によって保持していることを特徴とする天井材支持構造。
【請求項２】
係止手段は、天井材や支持材とは別部材の係止材を用いる態様、天井材が支持材に係止部以外の第２係止部でも係止する態様から選ばれる一種以上であることを特徴とする請求項１の天井材支持構造。
【発明の詳細な説明】
【技術分野】
【０００１】
本発明は、支持材に対して天井材を容易に取り付けることができ、しかも強固に且つ美麗に保持することができ、軒先構造にも適用できる天井材支持構造に関する。
【背景技術】
【０００２】
従来、軒先や軒裏などの化粧パネルを含む各種の天井材を支持する構造としては、例えば以下に示す特許文献１〜４などの各種の提案がなされている。
特許文献１には、横向きＨ型、ハット型等の支持材（保持部材５Ａ，５Ｂ）を格子状に架設し、格子状部分（支持材のフランジ）に天井材（天井仕上げ板Ｂ）を載置した吊り天井の下地構造が提案されている。
また、特許文献２には、吊り下げられたチャンネル鋼材４に交差してＣ型状の支持材（天井板取付材５）が適宜間隔ごとに設置され、天井板６を上側に湾曲させてビス止めした吊り天井構造が提案されている。
更に、特許文献３には、軒天板（下面化粧パネル）１４１をビス止めにて逆Ｕ字状の受け金具５１にビス止めする構造が記載されている。
なお、載置やビス止め以外の方法としては、特許文献４に記載されるように天井材を弾性変形と復帰で取り付ける方法も知られている。
【先行技術文献】
【特許文献】
【０００３】
【特許文献１】特開２０１４−０２５３３８号公報
【特許文献２】特開２００４−３０８３５６号公報
【特許文献３】特公平７−０３９７３１号公報
【特許文献４】特開２００２−３８６４９号公報
【発明の概要】
【発明が解決しようとする課題】
【０００４】
しかしながら、前記特許文献１では、支持材（保持部材５Ａ，５Ｂ）を架設しているだけの構成であるため、支持材の取付（配置）に精度が必要になり、誤差によっては天井材（天井仕上げ板Ｂ）が外れてしまう恐れがあった。また、格子状であるが故に、支持材の組み付け、天井材の架設に手間が掛かるものであった。
また、前記特許文献２では、Ｃ型状の支持材（天井板取付材５）に天井板６を上側に湾曲させてビス止めしているが、横方向の止め付けであるため、施工作業が困難になっていた。
更に、前記特許文献３のように軒天板をビス止めする構造では、ビスのよる固定部分が露出し、意匠性を損なうものであった。また、軒天のように屋外でビス止めを行うと、熱伸縮によってビス穴が拡大したり、雨水の浸入等の問題があった。
また、前記特許文献４では、天井材を弾性変形と復帰で取り付ける方法であるが、鉛直方向の固定（支持）がないため、誤差等によって嵌合が困難となる恐れがあった。
【０００５】
そこで、本発明は、支持材に対して天井材を容易に取り付けることができ、しかも強固に且つ美麗に保持することができ、軒先構造にも適用できる天井材支持構造を提供することを目的とする。
【課題を解決するための手段】
【０００６】
本発明は、上記に鑑み提案されたものであり、建築物の躯体に直接或いは間接的に取り付けられる支持材と隣接する前記支持材間に配設される天井材からなり、前記支持材は、縦片状の基部と、該基部の両側に横片状に延在する底面部と、該底面部から上方へ起立する起立部とを有し、前記した基部、底面部、起立部によって上方が開放する溝部を形成し、前記天井材は、化粧部と、該化粧部の側方に配されて、前記支持材の起立部に係止する、下方が開放する凸状の係止部とを有し、前記係止部の端縁を前記溝部内に位置させると共に、前記起立部に前記係止部を係止した係止状態における係止部を、前記支持材の内側から外側へ押圧するか、上方から下方へ押圧する係止手段によって保持していることを特徴とする天井材支持構造に関するものである。
【０００７】
また、本発明は、前記天井材支持構造において、係止手段は、天井材や支持材とは別部材の係止材を用いる態様、天井材が支持材に係止部以外の第２係止部でも係止する態様から選ばれる一種以上であることを特徴とする天井材支持構造をも提案する。
【発明の効果】
【０００８】
本発明の天井材支持構造は、係止状態における係止部の端縁を溝部内に位置させるばかりでなく、支持材の内側から外側へ押圧するか、上方から下方へ押圧する係止手段によって起立部と係止部の係止状態を保持しているので、躯体に吊り支持した、又は躯体上に固定した支持材に対し、天井材を容易に取り付けることができ、しかも強固に且つ美麗に保持することができる。
したがって、本発明における支持材を軒天支持材として用い、天井材を軒天材（軒天井材）として用いることにより、この天井材支持構造を、外装構造から軒先へ大きく延出する軒先構造に適用することができ、通常の一般屋根に比べて先端がシャープな先鋭な印象を受ける意匠性に優れた屋根を容易に施工することができる。
また、下方からの衝撃や、地震等によって支持材（及び天井材）が揺れても、係止手段によって支持材と天井材の係止状態が外れることがない。
【０００９】
また、係止手段は、天井材や支持材とは別部材の係止材を用いる態様、天井材が支持材に（係止部以外の）第２係止部でも係止する態様から選ばれる一種以上である場合には、係止材や第２係止部が、係止状態が容易に外れないための押さえとなるため、起立部に係止部を係止する構造と相俟って、強固に支持材に天井材を取り付けることができる。
【図面の簡単な説明】
【００１０】
【図１】（ａ）本発明の天井材支持構造の第１実施例を示す斜視図、（ｂ）吊り具を配設しない位置における正面図、（ｃ）吊り具を配設した位置における正面図、（ｄ）吊り具を省略した側面図である。
【図２】（ａ）本発明の天井材支持構造の第２実施例を示す斜視図、（ｂ）吊り具を配設しない位置における正面図、（ｃ）支持材へ係止材を取り付ける状況を示す側面図である。
【図３】（ａ）本発明の天井材支持構造の第３実施例を示す斜視図、（ｂ）係止材を配設した位置における正面図、（ｃ）吊り具を配設した位置における正面図である。
【図４】（ａ）本発明の天井材支持構造の第４実施例を示す斜視図、（ｂ）係止材を配設した位置における正面図、（ｃ）吊り具を配設した位置における正面図、（ｄ）係止材の拡大正面図である。
【図５】本発明の天井材支持構造の第１実施例を適用した軒先構造を示す側断面図である。
【発明を実施するための形態】
【００１１】
本発明の天井材支持構造は、建築物の躯体に直接或いは間接的に取り付けられる支持材と隣接する前記支持材間に配設される天井材からなり、前記支持材は、縦片状の基部と、該基部の両側に横片状に延在する底面部と、該底面部から上方へ起立する起立部とを有し、前記した基部、底面部、起立部によって上方が開放する溝部を形成し、前記天井材は、化粧部と、該化粧部の側方に前記支持材の起立部に係止する係止部を有し、前記係止部の端縁が前記溝部内に位置すると共に、係止手段によって前記起立部と前記係止部の係止状態を保持していることを特徴とする構成である。
【００１２】
この本発明の天井材支持構造は、以下に詳細に示す（Ａ）支持材と、（Ｂ）天井材と、から構成される。
【００１３】
（Ａ）支持材
この支持材は、前述のように建築物の躯体に直接或いは間接的に取り付けられる部材であって、縦片状の基部と、該基部の両側に横片状に延在する底面部と、該底面部から上方へ起立する起立部とを有し、前記した基部、底面部、起立部によって上方が開放する溝部を形成する構成である。
【００１４】
この支持材の基部、底面部、起立部、及び溝部については、特にその構成を限定するものではなく、どのように形成してもよい。
例えば前記基部には、略鉛直状に形成してもよいし、その途中に、後述する係止材を取り付けるための孔などを設けてもよいし、或いは天井材の係止部の端縁（図示実施例の第２係止部）などを係止させるための被係止部を設けるようにしてもよい。なお、この基部に設ける孔としては、特にその形状を限定するものではなく、また複数を並列状に設けるようにしてもよい。
また、前記底面部は、略水平面状に形成してもよく、この場合、前記基部を略鉛直状に形成した場合に逆「Ｔ」字状となって、この支持材が高強度を有するものとなる。
さらに、前記起立部は、そもそも天井材の係止部が係止する構成であり、縦片状に形成されるが、その上端が内側へ傾斜状に形成される構成でもよい。この場合、該起立部に被されるように配設された天井材の係止部が強固に取り付けられるものとなる。
【００１５】
そして、このような支持材は、躯体等の構造材から吊り下げされるものでも、構造材上に載置されるものであってもよい。吊り具を用いる場合、吊り具と支持材は、係止によるものでも、ビスやボルト等で締着するものであっても、係止と締着を併用するものであってもよい。
また、支持材は、押出型材からなるものでも、折曲成型したものであってもよい。形状としても、直線状であっても、湾曲状（円弧状）としたものでもよい。なお、湾曲状の支持材を軒先に用いることで、様々な軒先意匠に対応することができる（化粧材も追従するように湾曲状等に成型する）。
【００１６】
（Ｂ）天井材
この天井材は、前述のように隣接する前記支持材間に配設される部材であって、化粧部と、該化粧部の側方に前記支持材の起立部に係止する係止部を有する構成である。
【００１７】
この天井材の化粧部、係止部については、特にその構成を限定するものではなく、どのように形成してもよい。
例えば前記化粧部については、フラット状でも湾曲状でも様々な意匠に対応することができる。
また、前記係止部は、前記支持材の起立部に係止するものであるから、一般的には下方が開放する凸状に形成されるが、前記起立部に応じて適宜に形成することができる。
【００１８】
そして、このような天井材は、屋内等の天井面に敷設されるものでもよいし、或いは躯体から延出状に構築される軒先、けらば等の裏面側に配される軒天材（軒天井材）でもよい。
また、天井材は、合成樹脂、金属薄板等の可撓性を有するものであればよいが、耐火性を勘案すると金属製が好ましい。
【００１９】
さらに、本発明では、前記（Ｂ）天井材の係止部の端縁を、前記（Ａ）支持材の溝部内に位置させると共に、係止手段によって前記支持材の起立部と前記天井材の係止部の係止状態を保持している構成である。
【００２０】
前記天井材の係止部の端縁を、前記支持材の溝部内に位置させることにより、裏面側から天井材は、化粧部のみが見え、側縁の係止部は支持材の底面部の下面にて裏面側から隠されることとなるため、意匠性を損なうことがない。
【００２１】
また、前記支持材の起立部と前記天井材の係止部の係止状態を保持する係止手段としては、係止状態が容易に外れないための押さえとなる係止材を用いる態様（ア）（＝別部材である係止材を支持材に取り付ける態様）と天井材自体が前記係止部以外にも係止する態様（イ）（＝例えば係止部の端縁を基部に設けた被係止部に係止する態様）とが想定される。係止材は、鉛直方向に押さえるものでも、横方向に押さえるものであってもよい。
【００２２】
係止手段として、係止状態が容易に外れないための押さえとなる係止材を用いる態様（ア）は、別部材である係止材を支持材に取り付ける場合に他ならない。この係止材としては、その形状は特に限定するものではないが、基部、起立部，或いは溝部等に係合して取り付けられ、作業性等を勘案すると基部、起立部、あるいは溝部等に弾性的に係止するものが好ましい。
また、係止材は、左右に個別に配するものでも、基部に孔を設け、その孔に挿通する一部材で左右を押さえるものであってもよい。さらに、このような係止材は、天井材の配設後に取り付けるものでも、予め支持材に組み付けてあるものでもよい。
【００２３】
また、係止手段として、天井材自体が係止する態様（イ）は、前記係止部以外にも例えば係止部の端縁を基部に設けた被係止部に係止する場合などが相当する。
この被係止部としては、その形状は特に限定するものではないが、係止部の端縁（図示実施例の第２係止部）が弾性的に係止するものが好ましい。この態様では、結果的に係止部と起立部との係止、その端縁と被係止部との係止のそれぞれの相乗作用により安定に係止されることになる。
【００２４】
このような構成を有する（Ａ）支持材と（Ｂ）天井材とからなり、前記天井材の係止部の端縁が、前記支持材の溝部内に位置すると共に、係止手段によって前記支持材の起立部と前記天井材の係止部の係止状態を保持している本発明の天井材支持構造は、支持材に対して天井材を容易に取り付けることができ、しかも強固に且つ美麗に保持することができる。
【００２５】
さらに、前述のように本発明における天井材は、屋内等の天井面に敷設されるものでもよいし、或いは躯体から延出状に構築される軒先、けらば等の裏面側に配される軒天材（軒天井材）でもよく、後者の場合（軒先等への適用）には、それを支持する支持材も軒先に延出する軒天支持材となる。
【００２６】
このような躯体から延出状に構築される軒先、けらば等としては、種々の構造が提案されているが、後述する図示実施例に示すように屋根面に沿い、且つ軒先方向に長く延在させた上部支持材と接続すると共に、これらの（軒天）支持材と上部支持材とを連絡する連結支持材と接続し、少なくとも一つ以上の支持材を駆体に接続することにより、大きな三角形を描く強固な支持（下地）構造が形成されるため、強固な軒先構造を維持できる。
この場合、外装構造から軒先へ大きく延出させた軒先構造を構築できるため、通常の一般屋根に比べて先端がシャープな先鋭な印象を受ける意匠性に優れた屋根を容易に施工できる。
また、例えば下方から吹き上げ風が吹き付けられる等の負荷重が作用することがあっても、極めて堅牢で美麗な軒先構造を維持することができる。即ち下方からの衝撃や、地震等によって支持材（及び天井材）が揺れても、係止手段によって支持材と天井材の係止状態が外れることがない。
【実施例】
【００２７】
図１に示す本発明の天井材支持構造の第１実施例は、図示しない建築物の躯体に直接或いは間接的に取り付けられる支持材１と隣接する支持材１，１間に配設される天井材２からなる。
前記支持材１は、縦片状の基部１１と、該基部１１の両側に延在する横片状の底面部１２，１２と、該底面部１２から上方へ起立する起立部１３を有し、前記した基部１１、底面部１２，１２、起立部１３によって上方が開放する溝部１４，１４を形成する構成である。
前記天井材２は、化粧部２１と、該化粧部２１の側方に前記支持材１の起立部１３に係止する係止部２２を有する構成である。
そして、前記係止部２２の端縁（＝跳ね上げ片状の第２係止部２４）を前記溝部１４内に位置させると共に、係止手段によって前記起立部１３と前記係止部２２の係止状態を保持している。
【００２８】
前記支持材１は、前述のように建築物の躯体（図示せず）から吊り具４を介して取り付けられる部材（押出型材）であり、この第１実施例では略鉛直状に形成される基部１１には、高さの中程から左右のやや下方へ突出する被係止部１１１，１１１がその長さ方向に沿って設けられ、その長さ方向には取付孔１１２として横長の円孔が並列状に開設されている。
また、前記底面部１２，１２は略水平面状に形成され、前記起立部１３，１３は、先端が内側へ傾斜する略鉛直状に形成されているため、略「山」字状の部材として形成されている。
なお、前記吊り具４は、細幅の縦片部４１の下端にフック状の掛止部４２が設けられた構成であり、前記支持材１は、前記基部１１に設けた取付孔１１２が、前記吊り具４の掛止部４２に掛止される構成である。
【００２９】
前記天井材２は、前述のように隣接する前記支持材１，１間に配設される部材（金属板材）であって、この第１実施例では前記化粧部２１は、フラット状に形成され、前記係止部２２は、前記支持材１の起立部１３に係止できるように下方が開放する凸状に形成されている。
また、この係止部２２の外側には、凹状部２３を介して跳ね上げ片状の第２係止部２４が設けられている。
【００３０】
本発明の天井支持構造は、前述の構成を有する支持材１が図１（ｃ）に示すように吊り具４にて駆体に間接的に取り付けられているので、該支持材１に対し、図１（ｂ）に示すように左右から前述の構成を有する天井材２の側縁を落とし込むように配設することができる。
「天井材２の側縁を落とし込むように配設する」ことは、具体的には支持材１の溝部１４に対して天井材２の凹状部２３を、支持材の起立部１３に対して天井材２の係止部２２を臨ませ、上方から装着することを意味している。
なお、支持材１の溝部１４は、起立部１３の上端と被係止部１１１の下端との間に形成されているので、天井材の凹状部２３を、起立部１３の上端と被係止部１１１の下端と間に落とし込むことは、凹状部２３を起立部１３の上端及び被係止部１１１の下端に当接させつつ弾性に抗して凹状部２３の幅を小さくさせて下方へ移動させることとなる。
そして、支持材１の溝部１４に天井材２の凹状部２３を深く上方から押圧すると、跳ね上げ片状の第２係止部２４の上端が弾性反発して被係止部１１１の隅部に係止する状態で取り付けられるものとなる。
【００３１】
このように施工される本発明の天井材支持構造は、図示しない躯体に吊り支持した支持材１に対し、天井材２を容易に取り付けることができ、しかも強固に且つ美麗に保持することができる。
【００３２】
また、この第１実施例では、天井材２自体が係止部２２以外にも係止する態様、即ち第２係止部２４が基部１１に設けた被係止部１１１に係止する構造であるため、強固に支持材１に天井材２を取り付けることができる。例えば、下方からの衝撃や、地震等によって支持材１（及び天井材２）が揺れても、係止手段（第２係止部２４）によって支持材１と天井材２の係止状態が外れることがない。
【００３３】
図２（ａ）に示す第２実施例の天井材支持構造は、図示しない建築物の躯体に直接或いは間接的に取り付けられる支持材１IIと、隣接する支持材１II，１II間に配設される天井材２II、前記支持材１IIに取り付けられる係止材３からなる。
【００３４】
この第２実施例における前記支持材１IIは、図２（ｂ）に示すように基部１１に被係止部（１１１）が形成されない以外は、前記第１実施例における支持材１と全く同様であって、図面に同一符号を付して説明を省略する。
【００３５】
また、この第２実施例における前記天井材２IIは、図２（ｂ）に示すように係止部２２の外側に溝状部（２３）や跳ね上げ片状の第２係止部（２４）が形成されず、受片状の第２係止部２５が設けられている以外は、前記第１実施例における天井材２と全く同様であって、図面に同一符号を付して説明を省略する。
【００３６】
更に、この第２実施例における係止材３は、図２（ｃ）に示すように前記支持材１IIの取付孔１１２への取付部３１の左右に下方へ延在する係止片３２，３２を有するピース材であり、前記取付部３１は、断面が略Ｍ字状に成形されている。
また、この係止材３の前記支持材１IIへの取り付けは、図示するように取付孔１１２に対して係止材３を傾倒する等して一方の係止片３２を他方側へ入れ込み（＝図示左側の状態）、その後、矢印で示すように取付部３１が中央に位置するように取り付ければよい。
【００３７】
この第２実施例の天井材支持構造の施工に関し、前述のように支持材１IIの取付孔１１２に前記係止材３を取り付けるが、この操作は、天井材２IIを配設する前に行ってもよいし、天井材２IIの配設後に行ってもよい。
先に係止材３を取り付ける場合には、例えば取付部３１が取付孔１１２の開口端縁に少なくとも仮止めされる必要がある。この仮止めの手段としては、前記断面が略Ｍ字状の取付部３１が弾性にて取付孔１１２の開口端縁に仮止めされるように成形する方法や、粘着剤等の弱い接着剤を用いて仮止めする方法がある。そして、この場合、天井材２IIの配設は、前記第１実施例と同様に行えばよいが、この場合、係止材３の係止片３２，３２が内側方向へ押圧され、弾性反発して係止片３２の下端が天井材２IIに設けた受片状の第２係止部２５に係止する状態で取り付けられるものとなる。
先に天井材２IIを取り付ける場合には、起立部１３に上方から被せるように係止部２２を取り付けて容易に天井材２IIを配設でき、その後に前述の係止材３の前記支持材１IIへの取り付けを行う。即ち図２（ｃ）における矢印で示す操作を行う際に、各係止片２２の下端が受片状の第２係止部２５に係止するように操作すればよい。
【００３８】
このように施工される第２実施例の天井材支持構造でも、図示しない躯体に吊り支持した支持材１IIに対し、天井材２IIを容易に取り付けることができ、しかも強固に且つ美麗に保持することができる。
また、この第２実施例では、係止状態が容易に外れないための押さえとなる係止材３を用いる態様、即ち別部材である係止材３を支持材１IIに取り付ける構造であるため、強固に支持材１IIに天井材２IIを取り付けることができる。
【００３９】
図３（ａ）に示す第３実施例の天井材支持構造は、図示しない建築物の躯体（図示せず）から吊り具４IIIを介して取り付けられる支持材１IIIと、隣接する支持材１III，１III間に配設される天井材２IIIと、この天井材２IIIの配設後に取り付けられる係止材３IIIからなる。
【００４０】
まず、この第３実施例における前記支持材１IIIは、基部１１に被係止部（１１１）及び取付孔（１１２）が形成されず、その上端より僅かに下方に左右の下方へ延在する略鏃状の被係止部１１３が設けられている以外は、前記第１実施例における支持材１と全く同様であって、図面に同一符号を付して説明を省略する。
【００４１】
次に、この第３実施例における吊り具４IIIは、図３（ｃ）に示すように対向状の細幅の縦片部４３の下端に外側に膨出して内側へ向かう左右一対の掴み部４４が設けられた構成であり、前記支持材１IIIは、前記基部１１に設けた被係止部１１３が、前記吊り具４IIIの掴み部４４に掴み保持される構成である。
【００４２】
また、この第３実施例における前記天井材２IIIは、係止部２２の外側に溝状部（２３）や跳ね上げ片状の第２係止部（２４）が形成されず、受片状の第２係止部（２５）も形成されていない以外は、前記第１実施例における天井材２と全く同様であって、図面に同一符号を付して説明を省略する。
【００４３】
更に、この第３実施例における係止材３IIIは、図３（ｂ）に示すように略平坦状の上面部３３の左右に外側へ膨出して内側へ向かう左右一対の上方嵌合部３４が設けられ、更にその下方に外側へ大きく膨出して内側へ向かう左右一対の下方嵌合部３５が設けられたピース材であり、前記上方嵌合部３４は前記支持材１IIIの被係止部１１３に弾性的に嵌合し、前記下方嵌合部３５は前記天井材２IIIの係止部２２を介して前記支持材１IIIの左右の起立部１３，１３に弾性的に嵌合している。
【００４４】
この第３実施例の天井材支持構造の施工に関し、前述のように支持材１IIIの被係止部１１３に前記係止材３IIIを取り付けるが、この操作は天井材２IIIの配設後に行う。
即ち吊り具４IIIを介して間接的に駆体（図示せず）に固定された支持材１IIIに、天井材２IIIを取り付けるが、起立部１３に上方から係止部２２を被せるように取り付けて容易に配設できる。
その後に前述の係止材３IIIを前記支持材１IIIの上方から下方へ向かって押圧するだけで容易に取り付けすることができる。即ち下方へ押圧すると、上方嵌合部３４が被係止部１１３に当接すると共に、下方嵌合部３５が起立部１３に係止した係止部２２に当接しながら拡開し、上方嵌合部３４が被係止部１１３に弾性的に嵌合すると共に下方嵌合部３５が左右の係止部２２．２２に弾性的に嵌合した状態で取り付けられるものとなる。
【００４５】
このように施工される第３実施例の天井材支持構造でも、図示しない躯体に吊り支持した支持材１IIIに対し、天井材２IIIを容易に取り付けることができ、しかも強固に且つ美麗に保持することができる。
また、この第３実施例では、係止状態が容易に外れないための押さえとなる係止材３IIIを用いる態様、即ち別部材である係止材３IIIを支持材１IIIに取り付ける構造であるため、強固に支持材１IIIに天井材２IIIを取り付けることができる。
【００４６】
図４（ａ）に示す第４実施例の天井材支持構造は、図示しない建築物の躯体に直接或いは間接的に取り付けられる支持材１IVと、隣接する支持材１IV，１IV間に配設される天井材２IVと、この天井材２IVの配設後に取り付けられる係止材３IVからなる。なお、この第４実施例の支持材１IVは、金属面材を折曲成型したものである。
【００４７】
この第４実施例における前記支持材１IVは、図４（ｂ）に示すように対向する二重の基部１１'に長さ方向に連続する被係止部（１１１）は形成していないが、隣接する取付孔１１２，１１２間に左右のやや下方へ突出する被係止部１１４，１１４が形成され、金属面材を折曲成型したものである以外は、前記第１実施例における支持材１と全く同様であって、図面に同一符号を付して説明を省略する。起立部１３'は、上端が傾斜していない鉛直状の縦片である。
【００４８】
また、この第４実施例における前記天井材２IVは、係止部２２'が起立部１３'の内側片の下端にまで至っている以外は、前記第１実施例における天井材２と全く同様であって、図面に同一符号を付して説明を省略する。
【００４９】
更に、この第４実施例における係止材３IVは、図４（ｂ）に示すように支持材１IVの左右の溝部１４，１４にそれぞれ独立して配設されるピース材であり、図４（ｄ）に拡大して示すように略Ｖ字状に形成される下方部分３６と、それを形成する内側の側壁の上端を外側へ折り曲げて形成される括れ部３７と、それを上方へ延在させた把持部３８とからなる。
前記下方部分３６は前記支持材１IVの溝部１４に弾性的に嵌合し、前記括れ部３７は前記支持材１IVの被係止部１１４に係止され、前記把持部３８は溝部１４から上方へ延在するように取り付けられている。
【００５０】
この第４実施例の天井材支持構造の施工に関し、前述のように支持材１IVの溝部１４や被係止部１１４に前記係止材３IVを取り付けるが、この前記係止材３IVの配設は天井材２IVの配設後に行う。
即ち支持材１IVに、天井材２IVを取り付けるが、起立部１３'に上方から係止部２２を被せるように取り付けて容易に配設できる。
その後に前述の係止材３IVを、前記支持材１IVの左右の溝部１４，１４に対してそれぞれ上方から下方へ向かって押圧するだけで容易に取り付けすることができる。即ち係止材３IVの把持部３８を把持し、下方へ押圧すると、下方部分３６が被係止部１１４の下端と係止部２２に当接しながら狭く縮められ、括れ部３７が被係止部１１４に弾性的に嵌合した状態で取り付けられるものとなる。
【００５１】
このように施工される第４実施例の天井材支持構造でも、図示しない躯体に吊り支持した支持材１IVに対し、天井材２IVを容易に取り付けることができ、しかも強固に且つ美麗に保持することができる。
また、この第４実施例では、係止状態が容易に外れないための押さえとなる係止材３IVを用いる態様、即ち別部材である係止材３IVを支持材１IVに取り付ける構造であるため、強固に支持材１IVに天井材２IVを取り付けることができる。
特にこの第４実施例では、左右が別々の係止材３IV，３IVにてそれぞれ個別に取り付けられるため、前記第２実施例の係止材３や第３実施例の係止材３IIIの左右に天井材２，２IIIを隣接させて配設するタイミングを待つ必要がない。即ち天井材２IVを配設した直後にその左右に係止材３IV，３IVの取り付けを行うことができ、例えば不意な突風等に起因する剥がれ、落下事故等を防止することができる。
【００５２】
図５に示す軒先構造は、前記第１実施例の天井材支持構造を適用したものであり、前記支持材１は軒天支持材として用いられ、前記天井材２は軒天材（軒天井材）として用いられるものである。
【００５３】
この軒先構造には、前記構成の軒天支持材１と、外装構造９から水下側へ延設される上部支持材６Ａと、躯体５に接続されると共にこれらの両支持部材１，６Ａを連結する連結支持材６Ｂとを一体的に連結した大三角形を描く支持構造が形成されている。
また、前記上部支持材６Ａは、外装構造９自体の支持材をも兼ねるため、その上面には外装構造９を形成する横葺き外装材である外装材９Ａと、該外装材９Ａの更に水下側に配設される軒先外装材８Ａが沿設されている。なお、外装材９Ａの裏面側に配された、符号９ｂは上部支持材６Ａ上に取り付けられた保持部材（吊子）であり、９ｃはバックアップ材、９ｄは裏貼り材である。さらに、この上部支持材６Ａの軒先端には、取付補助材９ｂが一体的に固定されている。
この上部支持材６Ａに対し、略直角状に配されている連結支持材６Ｂは、ボルト等の締着具６０にて連結され、他方側の端縁は、前記軒天支持材１の長さ方向の中程に位置する取付孔１１２に締着具６０にて連結され、上部支持材６Ａの軒先端は、前記軒天支持材１の最も軒先側に位置する取付孔１１２に締着具６０にて連結されている。
【００５４】
前記軒先外装材８Ａは、略平坦状の面板部８１の水上端８２が最も水下側の外装材９ＡＺの裏面側の水下端付近に固定され、前記面板部８１の水下部分が前記取付補助材８ｂの上面に沿い、その水下端８３が折り下げられ、その下端に前記取付補助材８ｂと係合する折り返し係合部を形成している。
また、前記軒先外装材８Ａの軒先端の裏面側には、前記取付補助材８ｂの下面を覆う軒先化粧材７が配されている。
【００５５】
このような軒先構造では、前記支持材１を軒天支持材として用い、屋根面に沿い、且つ軒先方向に長く延在させた上部支持材６Ａと接続すると共に、これらの軒天支持材１と上部支持材６Ａとを連絡する連結支持材６Ｂと接続し、しかも連結支持材６Ｂは躯体５と接続しているため、三つの支持材１，６Ａ，６Ｂが大きな三角形を描く強固な下地構造が形成されるため、強固な軒先構造を維持できる。また、外装構造から軒先へ大きく延出させた軒先構造を構築しているため、通常の一般屋根に比べて先端がシャープな先鋭な印象を受ける意匠性に優れた屋根を容易に施工できる。
また、例えば上方から雨水や風が吹き付けられる等の正荷重が作用しても、或いは下方から吹き上げ風が吹き付けられる等の負荷重が作用することがあっても、極めて堅牢で美麗な軒先構造を維持することができる。
【符号の説明】
【００５６】
１，１II，１III，１IV  支持材
１１  基部
１１１，１１３，１１４  被係止部
１１２  取付孔
１２  底面部
１３  起立部
１４  溝部
２，２II，２III，２IV  天井材
２１  化粧部
２２  係止部
２３  凹状部
２４  第２係止部
３，３III，３IV  係止材
３１  取付部
３２  係止片
３３  上面部
３４  上方嵌合部
３５  下方嵌合部
３６  下方部分
３７  括れ部
３８  把持部
４，４III  吊り具
４１  縦片部
４２  掛止部
【図１】
0006380978.tif 000002
【図２】
0006380978.tif 000003
【図３】
0006380978.tif 000004
【図４】
0006380978.tif 000005
【図５】
0006380978.tif 000006